(57)【要約】【課題】異なる記録指示に係る記録済媒体のトレイ上での混在を抑制すると共に、記録媒体の排出待ち時間を低減した画像記録装置を提供する。【解決手段】当該装置は、条件を満たすか否かを判断（Ｓ１２）し、条件を満たすことに応じて（Ｓ１３：Ｙｅｓ）記録媒体に画像を記録させ（Ｓ１４）且つ当該記録媒体を第１トレイへ搬送させ（Ｓ１５）、条件を満たさないことに応じて（Ｓ１３：Ｎｏ）画像データを記憶部に記憶させ（Ｓ１６）、条件を満たし（Ｓ１８：Ｙｅｓ）且つ排出指示が受け付けられたことに応じて（Ｓ１７：Ｙｅｓ）第１トレイ上の記録媒体を取り出し可能な状態にし（Ｓ１９）、条件を満たさず（Ｓ１８：Ｎｏ）且つ排出指示が受け付けられたことに応じて（Ｓ１７：Ｙｅｓ）画像データで示される画像を記録媒体に記録させ（Ｓ２０）且つ当該記録媒体を第２トレイへ搬送させる（Ｓ２１）。【選択図】図４
2015104873.tif 000002
【特許請求の範囲】
【請求項１】
記録媒体に画像を記録する記録部と、
前記記録部によって画像が記録された記録媒体を、ユーザが取り出し不能な状態で支持する第１トレイと、
前記記録部によって画像が記録された記録媒体を、ユーザが取り出し可能な状態で支持する第２トレイと、
前記第１トレイ又は前記第２トレイへ記録媒体を搬送する搬送部と、
通信回線を通じて外部装置と通信する通信部と、
ユーザに操作される操作部と、
記憶部と、
制御部と、を備えており、
前記制御部は、
前記記録部に記録させる画像を示す画像データを含む記録指示を、前記通信部を通じて外部装置から受け付ける第１受付手段と、
前記第１受付手段によって前記記録指示が受け付けられたことに応じて、当該記録指示に従って前記記録部に画像を記録させた記録媒体を前記第１トレイに排出するための条件を満たすか否かを判断する判断手段と、
前記判断手段によって前記条件を満たすと判断されたことに応じて、前記記録指示に従って記録媒体に対して画像を前記記録部に記録させ、且つ当該記録媒体を前記第１トレイへ向けて前記搬送部に搬送させる第１記録制御手段と、
前記判断手段によって前記条件を満たさないと判断されたことに応じて、前記記録指示に含まれる前記画像データを前記記憶部に記憶させる記憶制御手段と、
前記記録指示に従って画像が記録された記録媒体を排出する排出指示を、前記操作部を通じてユーザから受け付ける第２受付手段と、
前記判断手段によって前記条件を満たすと判断され且つ前記第２受付手段によって前記排出指示が受け付けられたことに応じて、前記第１トレイに支持されている記録媒体を取り出し可能な状態にする排出制御手段と、
前記判断手段によって前記条件を満たさないと判断され且つ前記第２受付手段によって前記排出指示が受け付けられたことに応じて、前記記憶部に記憶された前記画像データで示される画像を記録媒体に対して前記記録部に記録させ、且つ当該記録媒体を前記第２トレイへ向けて前記搬送部に搬送させる第２記録制御手段と、を含む画像記録装置。
【請求項２】
前記制御部は、前記記録指示の実行状態を管理する管理手段を含んでおり、
前記管理手段は、
前記判断手段によって前記条件を満たすと判断されたことに応じて、当該記録指示を識別する識別子と、第１の値が設定された状態情報とを対応づけて前記記憶部に記憶させ、
前記判断手段によって前記条件を満たさないと判断されたことに応じて、前記識別子と、第２の値が設定された前記状態情報とを対応づけて前記記憶部に記憶させ、
前記排出制御手段が動作したことに応じて、前記状態情報から前記第１の値を削除し、
前記記憶制御手段は、前記記録指示に含まれる前記画像データを、当該記録指示を識別する前記識別子に対応づけて前記記憶部に記憶させ、
前記判断手段は、
前記記憶部に記憶された全ての前記状態情報が前記第１の値と異なる値であることに応じて、前記条件を満たすと判断し、
前記記憶部に記憶された前記状態情報が前記第１の値であることに応じて、前記条件を満たさないと判断する請求項１に記載の画像記録装置。
【請求項３】
前記記録指示は、前記画像データで示される画像を前記記録部が記録媒体に記録するのに要する記録時間を推定可能な記録時間情報を含んでおり、
前記判断手段は、全ての前記状態情報が前記第１の値と異なる値である場合において、
前記記録時間が閾値時間を上回ることに応じて、前記条件を満たすと判断し、
前記記録時間が前記閾値時間以下であることに応じて、前記条件を満たさないと判断する請求項２に記載の画像記録装置。
【請求項４】
前記記録指示は、外部装置を通じて当該記録指示を出力したユーザを示すユーザ識別子を含んでおり、
前記管理手段は、前記ユーザ識別子を含む前記識別子を前記記憶部に記憶させ、
前記判断手段は、前記状態情報が前記第１の値である場合において、
当該状態情報に対応づけられた前記ユーザ識別子と、前記記録指示に含まれる前記ユーザ識別子とが一致することに応じて、前記条件を満たすと判断し、
当該状態情報に対応づけられた前記ユーザ識別子と、前記記録指示に含まれる前記ユーザ識別子とが相違することに応じて、前記条件を満たさないと判断する請求項２又は３に記載の画像記録装置。
【請求項５】
前記記録指示は、当該記録指示に従って画像が記録された記録媒体を排出させるためのパスワード情報を含んでおり、
前記管理手段は、前記記録指示に含まれる前記パスワード情報を、当該記録指示を識別する前記識別子と対応づけて前記記憶部に記憶させ、
前記判断手段は、前記第１の値が設定された前記状態情報に対応づけられた前記ユーザ識別子と、前記記録指示に含まれる前記ユーザ識別子とが一致する場合において、
当該状態情報に対応づけられた前記パスワード情報と、前記記録指示に含まれる前記パスワード情報とが一致することに応じて、前記条件を満たすと判断し、
当該状態情報に対応づけられた前記パスワード情報と、前記記録指示に含まれる前記パスワード情報とが相違することに応じて、前記条件を満たさないと判断する請求項４に記載の画像記録装置。
【請求項６】
前記記録指示は、外部装置を通じて当該記録指示を出力したユーザを示すユーザ識別子を含んでおり、
前記記憶部には、前記第１トレイへ記録媒体を排出すべきユーザの前記ユーザ識別子である優先ユーザ識別子が記憶されており、
前記判断手段は、全ての前記状態情報が前記第１の値と異なる値である場合において、
前記記憶部に記憶された前記優先ユーザ識別子と、前記記録指示に含まれる前記ユーザ識別子とが一致することに応じて、前記条件を満たすと判断し、
前記記憶部に記憶された前記優先ユーザ識別子と、前記記録指示に含まれる前記ユーザ識別子とが相違することに応じて、前記条件を満たさないと判断する請求項２に記載の画像記録装置。
【請求項７】
前記記録指示は、当該記録指示に従って画像が記録された記録媒体の前記第１トレイへの排出を希望するか否かを示す排出希望情報を含んでおり、
前記判断手段は、全ての前記状態情報が前記第１の値と異なる値である場合において、
前記記録指示に含まれる前記排出希望情報が前記第１トレイへの排出を希望することを示すことに応じて、前記条件を満たすと判断し、
前記記録指示に含まれる前記排出希望情報が前記第１トレイへの排出を希望しないことを示すことに応じて、前記条件を満たさないと判断する請求項２に記載の画像記録装置。
【請求項８】
前記記録指示は、画像の記録に必要な記録媒体の枚数を示す枚数情報を含んでおり、
前記制御部は、前記第１記録制御手段によって前記第１トレイに排出された記録媒体の枚数である累積枚数を算出し、且つ前記排出制御手段が動作したことに応じて前記累積枚数をリセットする管理手段を含んでおり、
前記判断手段は、
前記枚数情報に含まれる記録媒体の枚数と前記累積枚数との合計が閾値枚数以下であることに応じて、前記条件を満たすと判断し、
前記枚数情報に含まれる記録媒体の枚数と前記累積枚数との合計が前記閾値枚数を上回ることに応じて、前記条件を満たさないと判断する請求項１に記載の画像記録装置。
【請求項９】
前記第１トレイは、
支持された記録媒体をユーザが取り出し不能なロック状態と、
支持された記録媒体をユーザが取り出し可能なロック解除状態とに状態変化可能に構成されており、
前記排出制御手段は、前記第１トレイを前記ロック状態から前記ロック解除状態に状態変化させる請求項１から７のいずれかに記載の画像記録装置。
【請求項１０】
前記排出制御手段は、前記第１トレイに支持されている記録媒体を前記第２トレイへ向けて前記搬送部に搬送させる請求項１から７のいずれかに記載の画像記録装置。
【請求項１１】
前記排出指示は、前記識別子を含み、当該識別子で識別される前記記録指示に従って画像が記録された記録媒体の排出を指示するものであり、
前記排出制御手段は、前記第１トレイに支持されている記録媒体のうち、前記排出指示に含まれる前記識別子によって特定される記録媒体を選択的に前記第２トレイへ向けて前記搬送部に搬送させる請求項８に記載の画像記録装置。
【請求項１２】
該画像記録装置は、第３トレイをさらに備えており、
前記制御部は、
前記第１トレイに支持されている記録媒体の廃棄を指示する廃棄イベントを検出する検出手段と、
前記検出手段によって前記廃棄イベントが検出されたことに応じて、前記第１トレイに支持されている記録媒体を前記第３トレイへ向けて前記搬送部に搬送させる廃棄制御手段と、を含む請求項１から１１のいずれかに記載の画像記録装置。
【請求項１３】
該画像記録装置は、第４トレイをさらに備えており、
前記記憶部には、前記第１トレイに支持されている記録媒体のそれぞれについて、当該記録媒体の両面に画像が記録されているか、片面にのみ画像が記録されているかを特定する記録面情報が記憶されており、
前記搬送部は、前記第４トレイに支持されている記録媒体を前記記録部へ向けて搬送可能であり、
前記廃棄制御手段は、前記第１トレイに支持されている記録媒体のうち、
両面に画像が記録された記録媒体を前記第３トレイへ向けて前記搬送部に搬送させ、
片面にのみ画像が記録された記録媒体を前記第４トレイへ向けて前記搬送部に搬送させる請求項１２に記載の画像記録装置。
【請求項１４】
前記制御部は、
前記第１トレイに支持されている記録媒体の廃棄を指示する廃棄イベントを検出する検出手段と、
前記検出手段によって前記廃棄イベントが検出されたことに応じて、前記第１トレイに支持されている記録媒体を廃棄することを報知する報知手段と、を含む請求項１から１３のいずれかに記載の画像記録装置。
【請求項１５】
記録媒体に画像を記録する記録部と、
前記記録部によって画像が記録された記録媒体を、ユーザが取り出し不能な状態で支持する第１トレイと、
前記記録部によって画像が記録された記録媒体を、ユーザが取り出し可能な状態で支持する第２トレイと、
前記第１トレイ又は前記第２トレイへ記録媒体を搬送する搬送部と、
通信回線を通じて外部装置と通信する通信部と、
ユーザに操作される操作部と、
記憶部とを備える画像記録装置によって実行可能なプログラムであって、
該プログラムは、
前記記録部に記録させる画像を示す画像データを含む記録指示を、前記通信部を通じて外部装置から受け付け、
前記記録指示が受け付けられたことに応じて、当該記録指示に従って前記記録部に画像を記録させた記録媒体を前記第１トレイに排出するための条件を満たすか否かを判断し、
前記条件を満たすと判断されたことに応じて、前記記録指示に従って記録媒体に対して画像を前記記録部に記録させ、且つ当該記録媒体を前記第１トレイへ向けて前記搬送部に搬送させ、
前記条件を満たさないと判断されたことに応じて、前記記録指示に含まれる前記画像データを前記記憶部に記憶させ、
前記記録指示に従って画像が記録された記録媒体を排出する排出指示を、前記操作部を通じてユーザから受け付け、
前記条件を満たすと判断され且つ前記排出指示が受け付けられたことに応じて、前記第１トレイに支持されている記録媒体を取り出し可能な状態にし、
前記条件を満たさないと判断され且つ前記排出指示が受け付けられたことに応じて、前記記憶部に記憶された前記画像データで示される画像を記録媒体に対して前記記録部に記録させ、且つ当該記録媒体を前記第２トレイへ向けて前記搬送部に搬送させる処理を、前記画像記録装置に実行させるプログラム。
【発明の詳細な説明】
【技術分野】
【０００１】
本発明は、複数の排出トレイを備える画像記録装置に関する。
【背景技術】
【０００２】
従来より、通信回線を通じて接続された外部装置から記録指示を取得したことに応じて、当該記録指示に従って記録媒体に画像を記録し、当該記録媒体を排出トレイに排出する画像記録装置が知られている。上記構成によれば、ユーザは、例えば、自席のＰＣ（Ｐｅｒｓｏｎａｌ  Ｃｏｍｐｕｔｅｒの略）を通じて画像記録装置に画像記録を実行させることができる。
【０００３】
上記構成の画像記録装置が複数の記録指示を取得した場合、排出トレイには、各記録指示に従って画像が記録された記録媒体（以下、「記録済媒体」と表記する。）が積層された状態で支持される。すなわち、異なるユーザの記録指示に係る記録済媒体が排出トレイ上において混在していることがある。そこで、例えば特許文献１には、印刷物の取り忘れを検知してユーザに通知する画像形成装置が開示されている。
【先行技術文献】
【特許文献】
【０００４】
【特許文献１】特開２００９−２９２０５５号公報
【発明の概要】
【発明が解決しようとする課題】
【０００５】
しかしながら、特許文献１に記載の技術では、複数ユーザの記録済媒体が排出トレイ上において混在している状態を、直ちに解消できるわけではない。その結果、記録済媒体を排出トレイから取り出そうとするユーザは、自分の記録指示に係る記録済媒体と、他人の記録指示に係る記録媒体とを、選別する必要がある。
【０００６】
また、記録指示に含まれる画像データをメモリに蓄積し、画像記録装置に接近したユーザから排出指示を受け付けたタイミングで当該画像データで示される画像を記録媒体に記録する画像記録装置も存在する。しかしながら、上記の方法によれば、画像記録装置に接近したにもかかわらず、ユーザは、排出指示を入力してから記録媒体が排出されるまでの時間を待たなければ、記録済媒体を得ることができない。
【０００７】
本発明は、上記の事情に鑑みてなされたものであり、その目的は、異なる記録指示に係る記録済媒体がトレイ上において混在するのを抑制すると共に、記録媒体が排出されるまでの待ち時間を低減した画像記録装置を提供することにある。
【課題を解決するための手段】
【０００８】
本明細書に記載の画像記録装置は、記録媒体に画像を記録する記録部と、前記記録部によって画像が記録された記録媒体を、ユーザが取り出し不能な状態で支持する第１トレイと、前記記録部によって画像が記録された記録媒体を、ユーザが取り出し可能な状態で支持する第２トレイと、前記第１トレイ又は前記第２トレイへ記録媒体を搬送する搬送部と、通信回線を通じて外部装置と通信する通信部と、ユーザに操作される操作部と、記憶部と、制御部とを備える。前記制御部は、前記記録部に記録させる画像を示す画像データを含む記録指示を、前記通信部を通じて外部装置から受け付ける第１受付手段と、前記第１受付手段によって前記記録指示が受け付けられたことに応じて、当該記録指示に従って前記記録部に画像を記録させた記録媒体を前記第１トレイに排出するための条件を満たすか否かを判断する判断手段と、前記判断手段によって前記条件を満たすと判断されたことに応じて、前記記録指示に従って記録媒体に対して画像を前記記録部に記録させ、且つ当該記録媒体を前記第１トレイへ向けて前記搬送部に搬送させる第１記録制御手段と、前記判断手段によって前記条件を満たさないと判断されたことに応じて、前記記録指示に含まれる前記画像データを前記記憶部に記憶させる記憶制御手段と、前記記録指示に従って画像が記録された記録媒体を排出する排出指示を、前記操作部を通じてユーザから受け付ける第２受付手段と、前記判断手段によって前記条件を満たすと判断され且つ前記第２受付手段によって前記排出指示が受け付けられたことに応じて、前記第１トレイに支持されている記録媒体を取り出し可能な状態にする排出制御手段と、前記判断手段によって前記条件を満たさないと判断され且つ前記第２受付手段によって前記排出指示が受け付けられたことに応じて、前記記憶部に記憶された前記画像データで示される画像を記録媒体に対して前記記録部に記録させ、且つ当該記録媒体を前記第２トレイへ向けて前記搬送部に搬送させる第２記録制御手段とを含む。
【発明の効果】
【０００９】
本明細書に記載の画像記録装置によれば、ユーザが当該画像記録装置に設けられた操作部を通じて排出指示を入力することによって、記録指示に従って画像が記録された記録媒体が取り出し可能となる。これにより、異なる記録指示に係る記録済媒体がトレイ上において混在するのを抑制することができる。また、画像が記録された記録媒体の一部は予め第１トレイに排出されているので、記録媒体が排出されるまでの待ち時間も低減される。
【図面の簡単な説明】
【００１０】
【図１】図１は、複合機１０のブロック図である。
【図２】図２は、記録部１１及び各トレイ１３〜１７の間に設けられた搬送路４１〜４８を示す模式図である。
【図３】図３は、（Ａ）記録指示を取得した時点におけるデータ記憶領域２８Ｂの記憶内容、（Ｂ）記録指示に含まれる情報、（Ｃ）排出指示を取得した時点におけるデータ記憶領域２８Ｂの記憶内容、及び（Ｄ）排出指示に含まれる情報の一例である。
【図４】図４は、画像記録処理のフローチャートである。
【図５】図５は、条件判断処理のフローチャートである。
【図６】図６は、（Ａ）記録指示を取得した時点におけるデータ記憶領域２８Ｂの記憶内容、（Ｂ）記録指示に含まれる情報、（Ｃ）排出指示を取得した時点におけるデータ記憶領域２８Ｂの記憶内容、及び（Ｄ）排出指示に含まれる情報の他の例である。
【図７】図７は、廃棄処理のフローチャートである。
【発明を実施するための形態】
【００１１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１２】
［複合機１０］
本実施形態における複合機１０は、図１に示されるように、記録部１１と、搬送部１２と、給紙トレイ１３と、クローズトレイ１４と、オープントレイ１５と、廃棄トレイ１６と、再利用トレイ１７と、表示部２３と、操作部２４と、通信部２５と、ＣＰＵ２７と、記憶部２８と、通信バス２９とを主に備える。複合機１０を構成する各構成要素は、通信バス２９を介して相互に接続されている。複合機１０は、画像記録装置の一例である。
【００１３】
［記録部１１］
記録部１１は、画像データで示される画像を記録用紙に記録する記録処理を実行する。記録部１１の記録方式は特に限定されないが、例えば、インクジェット方式や電子写真方式などの公知の方式を採用することができる。記録用紙は、記録媒体の一例である。また、複合機１０は、記録用紙に記録されている画像を読み取って画像データを生成するスキャン機能、記録用紙に記録されている画像を読み取って他の記録用紙に記録するコピー機能、或いはＦＡＸの送受信を行うＦＡＸ機能等をさらに有していてもよい。
【００１４】
［搬送部１２］
搬送部１２は、記録部１１と各トレイ１３〜１７との間、及び各トレイ１３〜１７の間に設けられた搬送路４１〜４８に沿って記録用紙を搬送する。搬送部１２の具体的な構成は特に限定されないが、例えば、記録用紙の上面に当接して回転するローラ、或いは記録用紙を挟持して回転するローラ対等によって構成され、不図示のモータによって駆動される。搬送路４１〜４８は、記録用紙を通過させる空間を指す。搬送路４１〜４８は、複合機１０を構成する各構成要素によって区画される。
【００１５】
本実施形態における搬送部１２は、図２に示されるように、給紙トレイ１３及び再利用トレイ１７に支持された記録用紙を、搬送路４１、４２に沿って記録部１１へ搬送する。また、搬送部１２は、記録部１１によって画像が記録された記録用紙を、搬送路４３、４４に沿ってクローズトレイ１４及びオープントレイ１５へ搬送する。また、搬送部１２は、クローズトレイ１４に支持された記録用紙を、搬送路４５、４６、４７に沿ってオープントレイ１５、廃棄トレイ１６、及び再利用トレイ１７へ搬送する。さらに、搬送部１２は、クローズトレイ１４から排出した記録用紙を搬送路４８を通じて再びクローズトレイ１４へ搬送する。
【００１６】
［給紙トレイ１３］
給紙トレイ１３は、記録部１１によって画像が記録される前の記録用紙を積層状態で支持可能である。本実施形態における給紙トレイ１３は、両面が白紙の状態の記録用紙を支持する。搬送部１２は、例えば、給紙トレイ１３に積層された複数の記録用紙のうち、一番上の記録用紙から順に搬送路４１に沿って記録部１１へ搬送する。
【００１７】
［クローズトレイ１４］
クローズトレイ１４は、記録部１１によって画像が記録された記録用紙を積層状態で支持可能である。クローズトレイ１４は、ユーザが取り出し不能な状態で記録用紙を支持する。「ユーザが取り出し不能な状態」とは、例えば、クローズトレイ１４が複合機１０に装着された状態或いは複合機１０の使用状態において、クローズトレイ１４に支持された記録用紙をユーザが直接取り出すことができない状態を指す。また、「複合機１０の使用状態」とは、例えば、記録部１１による記録処理が実行可能な状態を指す。クローズトレイ１４は、第１トレイの一例である。
【００１８】
本実施形態において、記録部１１から搬送路４３を通じて搬送された記録用紙は、既にクローズトレイ１４に支持されている記録用紙の上に積層される。また、クローズトレイ１４上に積層された記録用紙は、下から順に搬送路４５〜４８に送り出される。すなわち、搬送部１２は、搬送路４３、４８に沿って搬送した記録用紙を、クローズトレイ１４上に積層された記録用紙の一番上に載置する。また、搬送部１２は、例えば、クローズトレイ１４上に積層された一番下の記録用紙を搬送路４５〜４８に送り出す。
【００１９】
［オープントレイ１５］
オープントレイ１５は、記録部１１によって画像が記録された記録用紙を積層状態で支持可能である。オープントレイ１５は、搬送路４４を通じて記録部１１から直接搬送された記録用紙、及び搬送路４５を通じてクローズトレイ１４から搬送された記録用紙を支持する。オープントレイ１５は、ユーザが取り出し可能な状態で記録用紙を支持する。搬送部１２は、例えば、記録部１１及びクローズトレイ１４から搬送路４４、４５に沿って搬送した記録用紙を、オープントレイ１５上に積層された記録用紙の一番上に載置する。オープントレイ１５は、第２トレイの一例である。
【００２０】
［廃棄トレイ１６］
廃棄トレイ１６は、記録部１１によって画像が記録された記録用紙を積層状態で支持可能である。廃棄トレイ１６は、搬送路４６を通じてクローズトレイ１４から搬送された記録用紙を支持する。廃棄トレイ１６は、全てのユーザが記録用紙を取り出し可能なように開放されていてもよいし、管理者等の特定のユーザのみが記録用紙を取り出し可能なようにロックされていてもよい。搬送部１２は、例えば、クローズトレイ１４から搬送路４６に沿って搬送した記録用紙を、廃棄トレイ１６上に積層された記録用紙の一番上に載置する。廃棄トレイ１６は、第３トレイの一例である。
【００２１】
［再利用トレイ１７］
再利用トレイ１７は、記録部１１によって画像が記録された記録用紙を積層状態で支持可能である。再利用トレイ１７は、搬送路４７を通じてクローズトレイ１４から搬送された記録用紙を支持する。本実施形態における再利用トレイ１７は、一方の面に画像が記録され且つ他方の面が白紙の状態の記録用紙を支持する。搬送部１２は、例えば、クローズトレイ１４から搬送路４７に沿って搬送した記録用紙を、再利用トレイ１７上に積層された記録用紙の一番上に載置する。また、搬送部１２は、例えば、再利用トレイ１７上に積層された一番上の記録用紙を、搬送路４２に沿って記録部１１へ搬送する。再利用トレイ１７は、第４トレイの一例である。
【００２２】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００２３】
［操作部２４］
操作部２４は、表示部２３の表示画面に表示されたオブジェクトを選択するユーザの操作を検知する。具体的には、操作部２４は、例えば押ボタンを有しており、押下された押ボタンに対応づけられた各種の操作信号をＣＰＵ２７へ出力する。さらに、操作部２４は、表示部２３の表示画面に重畳された膜状のタッチセンサを有していてもよい。すなわち、表示部２３がタッチパネルディスプレイとして構成されてもよい。タッチセンサには、静電容量方式、抵抗膜方式等の周知の方式を採用することができる。
【００２４】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００２５】
［通信部２５］
通信部２５は、通信ネットワークを通じて外部装置と通信を行うためのインタフェースである。すなわち、複合機１０は、通信部２５を通じて外部装置に各種データ又は各種情報を出力し、通信部２５を通じて外部装置から各種データ又は各種情報を取得する。なお、外部装置は、例えば、ユーザが使用するＰＣ（Ｐｅｒｓｏｎａｌ  Ｃｏｍｐｕｔｅｒの略）等である。
【００２６】
［ＣＰＵ２７］
ＣＰＵ（Ｃｅｎｔｒａｌ  Ｐｒｏｃｅｓｓｉｎｇ  Ｕｎｉｔの略）２７は、複合機１０の全体動作を制御するものである。ＣＰＵ２７は、操作部２４から出力される操作信号、及び通信部２５を通じて外部装置から取得した各種情報或いは各種データ等に基づいて、後述する各種プログラムを記憶部２８から取得して実行する。すなわち、ＣＰＵ２７及び記憶部２８は、制御部の一例を構成する。
【００２７】
［記憶部２８］
記憶部２８は、プログラム記憶領域２８Ａと、データ記憶領域２８Ｂとを有する。プログラム記憶領域２８Ａには、ＯＳ（Ｏｐｅｒａｔｉｎｇ  Ｓｙｓｔｅｍの略）３０と、画像記録プログラム３１とが格納される。なお、画像記録プログラム３１は、単一のプログラムであってもよいし、複数のプログラムの集合体であってもよい。データ記憶領域２８Ｂには、画像記録プログラム３１の実行に必要なデータ或いは情報が記憶される。
【００２８】
データ記憶領域２８Ｂには、例えば図３（Ａ）に示されるように、ジョブ識別子と、ユーザ識別子と、画像データと、サイズ情報と、記録面情報と、枚数情報と、パスワード情報と、状態情報とが対応づけて記憶されている。上記の各情報は、例えば、通信部２５を通じて外部装置から記録指示を取得してから、当該記録指示に従って画像が記録された記録用紙がオープントレイ１５、廃棄トレイ１６、又は再利用トレイ１７に排出されるまでの間、データ記憶領域２８Ｂに記憶される。
【００２９】
ジョブ識別子は、通信部２５を通じて外部装置から取得した記録指示を識別するものである。すなわち、図３（Ａ）の各レコードは、１つの記録指示に対応づけられている。ジョブ識別子は、記録指示を取得したことに応じて複合機１０によって一意に割り当てられ、外部装置を操作するユーザに通知される。ユーザ識別子は、外部装置を通じて記録指示を出力したユーザを示す識別子であって、記録指示に含まれる。ユーザ識別子の具体例は特に限定されないが、外部装置のコンピュータ名或いはＩＰアドレス等であってもよい。ジョブ識別子及びユーザ識別子は、識別子の一例である。
【００３０】
画像データは、ジョブ識別子によって識別される記録指示に含まれる。画像データは、記録部１１に記録させる画像を示すものである。サイズ情報は、画像データのデータサイズを示す情報である。本実施形態におけるサイズ情報には、「ｋｂｙｔｅ」を単位とする数値が設定される。サイズ情報は、画像データで示される画像を記録部１１が記録媒体に記録するのに要する記録時間を推定可能な記録時間情報の一例である。なお、記録時間情報の他の例としては、画像データで示される画像の解像度、当該画像のページ数、或いはそれらの組み合わせ等であってもよい。
【００３１】
記録面情報は、当該記録指示に従って画像が記録された後の記録用紙について、当該記録用紙の両面に画像が記録されているか、片面にのみ画像が記録されているかを特定するための情報である。記録面情報には、例えば、給紙トレイ１３に支持された記録用紙の片面に画像を記録する場合に、「片面」が設定される。一方、記録面情報には、例えば、給紙トレイ１３に支持された記録用紙の両面に画像を記録する場合、或いは再利用トレイ１７に支持された記録用紙の片面に画像を記録する場合に、「両面」が設定される。記録面情報は、記録指示に含まれる記録用紙の給紙元を示す情報と、記録媒体のどちらの面に画像を記録するかを示す情報と、に基づいて特定される。
【００３２】
枚数情報は、画像の記録に必要な記録用紙の枚数を示す情報である。枚数情報は、記録指示に含まれていてもよいし、記録部１１によって実際に画像が記録された記録用紙の枚数が設定されてもよい。パスワード情報は、記録指示に従って画像が記録された記録媒体をオープントレイ１５に排出させるためのパスワードを示す情報である。例えば、複合機１０は、記録指示に含まれるパスワード情報と排出指示に含まれるパスワード情報とが一致したことに応じて、当該記録指示に従って画像が記録された記録用紙をオープントレイ１５に排出してもよい。また、パスワード情報は、記録指示を取得した複合機１０によって生成され、記録指示を入力したユーザに通知されてもよい。なお、図３（Ａ）の例において「−」はパスワードが設定されていないことを示す。
【００３３】
状態情報は、取得した記録指示の実行状態を管理するための情報である。本実施形態における状態情報には、「クローズトレイ」或いは「メモリ」が設定される。「クローズトレイ」は、対応する記録指示に従って画像が記録された記録用紙がクローズトレイ１４に支持されていることを示す値である。一方、「メモリ」は、対応する記録指示に含まれる画像データがデータ記憶領域２８Ｂに記憶されており、且つ当該画像データで示される画像が未だ記録用紙に記録されていないことを示す値である。「クローズトレイ」は第１の値の一例であり、「メモリ」は第２の値の一例である。
【００３４】
なお、記録指示とは、画像データで示される画像を記録部１１に記録させるための指示である。記録指示には、少なくとも画像データが含まれる。また、記録指示には、例えば、ユーザ識別子、サイズ情報、記録面情報、枚数情報、又はパスワードの一部又は全部がさらに含まれる。排出指示とは、記録指示に従って画像が記録された記録媒体をオープントレイ１５に排出させるための指示である。排出指示には、例えば、ジョブ識別子、ユーザ識別子、又はパスワードの一部又は全部が含まれる。本実施形態における複合機１０は、通信部２５を通じて外部装置から記録指示を受け付け、操作部２４を通じてユーザから排出指示を受け付ける。すなわち、ユーザは、複合機１０から離れた場所において記録指示を複合機１０に入力することができ、複合機１０の近傍において排出指示を複合機１０に入力することができる。
【００３５】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００３６】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００３７】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００３８】
記憶部２８は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ２７が備えるバッファ等、或いはそれらの組み合わせによって構成される。なお、記憶部２８は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。一方、インターネット上のサーバなどからダウンロードされるプログラムを搬送する電気信号は、ｎｏｎ−ｔｒａｎｓｉｔｏｒｙな媒体には含まれない。
【００３９】
プログラム記憶領域２８Ａに記憶されているプログラムは、ＣＰＵ２７によって実行される。しかしながら、本明細書では、ＣＰＵ２７を省略して各プログラムの動作を説明することがある。すなわち、以下の説明において、「プログラムＡが処理Ａを実行する」という趣旨の記述は、「ＣＰＵ２７がプログラムＡに記述された処理Ａを実行する」ことを指してもよい。
【００４０】
ＯＳ３０は、複合機１０を構成するハードウェアである記録部１１、搬送部１２、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３０が提供するＡＰＩを呼び出すことによって、各ハードウェアを制御する。しかしながら、本明細書では、ＯＳ３０を省略して各プログラムの動作を説明する。すなわち、以下の説明において、「プログラムＢがハードウェアＣを制御する」という趣旨の記述は、「プログラムＢがＯＳ３０のＡＰＩを通じてハードウェアＣを制御する」ことを指してもよい。
【００４１】
［画像記録処理］
図３〜図６を参照して、複合機１０によって実行される画像記録処理を説明する。本実施形態における画像記録処理は、図３（Ａ）に示される情報がデータ記憶領域２８Ｂに記憶されている状態において、図３（Ｂ）に示される記録指示に従って記録用紙に画像を記録し、図３（Ｄ）に示される排出指示に従って当該記録用紙をオープントレイ１５に排出する処理である。
【００４２】
まず、複合機１０の画像記録プログラム３１は、通信部２５を通じて外部装置から記録指示を取得するまで待機する（Ｓ１１）。ここでは、図３（Ｂ）に示されるように、ユーザ識別子「ユーザＣ」と、画像データ３と、サイズ情報「２０００ｋＢｙｔｅ」と、記録面情報「片面」と、枚数情報「１５枚」と、パスワード情報「ａｂｃ」とを含む記録指示が取得されたものとする。また、画像記録プログラム３１は、当該記録指示にジョブ識別子「００３」を割り当て、当該ジョブ識別子「００３」を通信部２５を通じて外部装置に出力する。ステップＳ１１を実行する複合機１０のＣＰＵ２７は、第１受付手段の一例である。
【００４３】
次に、画像記録プログラム３１は、記録指示を取得したことに応じて（Ｓ１１：Ｙｅｓ）、条件判断処理を実行する（Ｓ１２）。条件判断処理は、ステップＳ１１で取得した記録指示に従って記録部１１に画像を記録させた記録用紙をクローズトレイ１４に排出するための条件を満たすか否かを判断する処理である。ステップＳ１２を実行する複合機１０のＣＰＵ２７は、判断手段の一例である。図５を参照して、ステップＳ１２の条件判断処理を詳細に説明する。
【００４４】
まず、画像記録プログラム３１は、クローズトレイ１４に既に記録用紙が支持されているか否かを判断する（Ｓ３１）。具体的には、画像記録プログラム３１は、「クローズトレイ」が設定された状態情報がデータ記憶領域２８Ｂに記憶されているか否かを判断する。そして、画像記録プログラム３１は、データ記憶領域２８Ｂに記憶されている状態情報に「クローズトレイ」が設定されていることに応じて、クローズトレイ１４に記録用紙が支持されていると判断する（Ｓ３１：Ｙｅｓ）。一方、画像記録プログラム３１は、データ記憶領域２８Ｂに記憶されている全ての状態情報に「クローズトレイ」と異なる値が設定されていることに応じて、クローズトレイ１４に記録用紙が支持されていないと判断する（Ｓ３１：Ｎｏ）。
【００４５】
次に、画像記録プログラム３１は、クローズトレイ１４に記録用紙が支持されていないことに応じて（Ｓ３１：Ｎｏ）、ステップＳ１１で取得した記録指示に従った記録処理に要する記録時間が閾値時間を上回るか否かを判断する（Ｓ３２）。具体的には、画像記録プログラム３１は、記録指示に含まれるサイズ情報で示されるデータサイズが閾値サイズを上回ることに応じて、記録時間が閾値時間を上回ると判断する（Ｓ３２：Ｙｅｓ）。一方、画像記録プログラム３１は、記録指示に含まれるサイズ情報で示されるデータサイズが閾値サイズ以下であることに応じて、記録時間が閾値時間以下であると判断する（Ｓ３２：Ｎｏ）。本実施形態における閾値サイズは、例えば、２５００ｋＢｙｔｅとする。
【００４６】
そして、画像記録プログラム３１は、記録時間が閾値時間を上回ることに応じて（Ｓ３２：Ｙｅｓ）、記録用紙をクローズトレイ１４に排出するための条件を満たすと判断（Ｓ３３）し、条件判断処理を終了する。一方、画像記録プログラム３１は、記録時間が閾値時間以下であることに応じて（Ｓ３２：Ｎｏ）、記録用紙をクローズトレイ１４に排出するための条件を満たさないと判断（Ｓ３４）し、条件判断処理を終了する。図３（Ｂ）に示される記録指示に対する条件判断処理では、クローズトレイ１４に記録用紙が存在せず（Ｓ３１：Ｎｏ）、データサイズが閾値サイズ以下となる（Ｓ３２：Ｎｏ）ので、条件を満たさないと判断される（Ｓ３４）。クローズトレイ１４に記録用紙が支持されている場合（Ｓ３１：Ｙｅｓ）の処理内容は、後述する。
【００４７】
図４に戻って、画像記録プログラム３１は、ステップＳ１２で条件を満たさないと判断したことに応じて（Ｓ１３：Ｎｏ）、画像データ３をデータ記憶領域２８Ｂに記憶させる（Ｓ１６）。ステップＳ１６の処理を実行する複合機１０のＣＰＵ２７は、記憶制御手段の一例である。一方、ステップＳ１２で条件を満たすと判断した場合（Ｓ１３：Ｙｅｓ）の処理は、後述する。
【００４８】
また、画像記録プログラム３１は、図３（Ｃ）に示されるように、当該記録指示を識別するジョブ識別子「００３」と、当該記録指示に含まれるユーザ識別子「ユーザＣ」、サイズ情報「２０００」、記録面情報「片面」、枚数情報「１５枚」、及びパスワード情報「ａｂｃ」と、状態情報「メモリ」とを、画像データ３と対応づけてデータ記憶領域２８Ｂに記憶させる。すなわち、状態情報「メモリ」は、条件判断処理において条件を満たさないと判断されたことを示す値でもある。一方、状態情報「クローズトレイ」は、条件判断処理において条件を満たすと判断されたことを示す値でもある。上記の各情報をデータ記憶領域２８Ｂに記憶させる複合機１０のＣＰＵ２７は、管理手段の一例である。後述する各ステップにおいて、データ記憶領域２８Ｂの記憶内容を更新する処理も同様である。
【００４９】
次に、画像記録プログラム３１は、操作部２４を通じてユーザから排出指示を取得するまで待機する（Ｓ１７）。ここでは、図３（Ｄ）に示されるように、ジョブ識別子「００３」と、パスワード情報「ａｂｃ」とを含む排出指示が取得されたものとする。ステップＳ１７を実行する複合機１０のＣＰＵ２７は、第２受付手段の一例である。なお、図４では、ステップＳ１１〜Ｓ１６までの処理と、ステップＳ１７〜Ｓ２１までの処理とを一連のフローとして記述しているが、これらの処理は非同期であってもよい。すなわち、複数の記録指示の入力順序と、各記録指示に対応する複数の排出指示の入力順序とは、異なっていてもよい。
【００５０】
画像記録プログラム３１は、排出指示を取得したことに応じて（Ｓ１７：Ｙｅｓ）、対応する記録指示に対する条件判断処理（Ｓ１２）で条件を満たすと判断されたか否かを確認する（Ｓ１８）。具体的には、画像記録プログラム３１は、排出指示に含まれるジョブ識別子に対応づけられた状態情報に「クローズトレイ」が設定されていることに応じて、条件を満たすと判断する（Ｓ１８：Ｙｅｓ）。一方、画像記録プログラム３１は、排出指示に含まれるジョブ識別子に対応づけられた状態情報に「クローズトレイ」と異なる値が設定されていることに応じて、条件を満たさないと判断する（Ｓ１８：Ｎｏ）。図３（Ｄ）の例において、ジョブ識別子「００３」に対応づけられた状態情報には、「メモリ」が設定されている。
【００５１】
画像記録プログラム３１は、ステップＳ１２で条件を満たさないと判断されたことに応じて（Ｓ１８：Ｎｏ）、排出指示に含まれるジョブ識別子「００３」に対応づけてデータ記憶領域２８Ｂに記憶された画像データ３で示される画像を記録用紙に対して記録部１１に記録させ（Ｓ２０）、当該記録用紙をオープントレイ１５へ向けて搬送部１２に搬送させる（Ｓ２１）。ステップＳ２０、Ｓ２１の処理を実行する複合機１０のＣＰＵ２７は、第２記録制御手段の一例である。一方、ステップＳ１２で条件を満たすと判断された場合（Ｓ１８：Ｙｅｓ）の処理は、後述する。
【００５２】
具体的には、画像記録プログラム３１は、ステップＳ２０において、給紙トレイ１３に支持された記録用紙を搬送路４１に沿って記録部１１へ搬送部１２に搬送させ、当該記録用紙に対して画像データ３で示される画像を記録部１１に記録させる。また、画像記録プログラム３１は、ステップＳ２１において、記録部１１によって画像が記録された記録用紙を搬送路４４に沿ってオープントレイ１５へ搬送部１２に搬送させる。また、画像記録プログラム３１は、図３（Ｃ）に示されるジョブ識別子「００３」によって識別されるレコードをデータ記憶領域２８Ｂから削除し、画像記録処理を終了する。
【００５３】
なお、画像記録プログラム３１は、ステップＳ１７において、排出指示に含まれるパスワード情報と、排出指示に含まれるジョブ識別子「００３」に対応づけてデータ記憶部２８Ｂに記憶されたパスワード情報とが一致することに応じて、ステップＳ２０、Ｓ２１の処理を実行してもよい。一方、画像記録プログラム３１は、ステップＳ１７において、上記の２つのパスワード情報が相違することに応じて、パスワードの再入力を求めてもよい。また、画像記録プログラム３１は、誤ったパスワード情報が所定の回数入力されたことに応じて、画像記録処理を中断してもよい。
【００５４】
次に、図６（Ａ）に示される情報がデータ記憶領域２８Ｂに記憶されている状態において、図６（Ｂ）に示される記録指示に従って記録用紙に画像を記録し、図６（Ｄ）に示される排出指示に従って当該記録用紙をオープントレイ１５に排出する処理を説明する。なお、図３の例を用いて説明した処理との共通点の詳しい説明は省略し、相違点を中心に説明する。
【００５５】
なお、図６に示される状態情報「クローズトレイ」の末尾に付された数字は、対応する記録用紙がクローズトレイ１４に排出された記録指示の順序を示す。すなわち、複数の記録指示に従って画像が記録された複数の記録用紙は、記録指示毎に纏まった状態で当該数字の順にクローズトレイ１４上に積層されている。より具体的には、記録指示毎に纏まった記録用紙は、対応する状態情報「クローズトレイ」の末尾に付された数字が小さいほど下方に位置し、当該数字が大きいほど上方に位置することになる。
【００５６】
換言すれば、当該数字は、クローズトレイ１４に積層された複数の記録用紙内において、対応する記録指示に従って画像が記録された記録用紙の位置を特定する情報である。さらに換言すれば、当該数字は、クローズトレイ１４から次に排出される記録用紙を特定する情報である。すなわち、図６（Ｃ）の例は、ジョブ識別子「００２」で特定される５枚の記録用紙の上に、ジョブ識別子「００３」で特定される１５枚の記録用紙が積層されており、ジョブ識別子「００２」で特定される記録用紙がクローズトレイ１４から次に排出されることを示す。
【００５７】
画像記録プログラム３１は、条件判断処理（Ｓ１２）において、クローズトレイ１４に記録用紙が支持されていることに応じて（Ｓ３１：Ｙｅｓ）、ステップＳ１１で取得した記録指示と、クローズトレイ１４に支持された記録用紙に画像を記録させるための記録指示とが同一のユーザによって入力されたか否かを判断する（Ｓ３５）。具体的には、画像記録プログラム３１は、ステップＳ１１で取得した記録指示に含まれるユーザ識別子と、「クローズトレイ」が設定された状態情報に対応づけられたユーザ識別子とが同一であることに応じて、２つの記録指示が同一のユーザによって入力されたと判断する（Ｓ３５：Ｙｅｓ）。一方、画像記録プログラム３１は、ステップＳ１１で取得した記録指示に含まれるユーザ識別子と、「クローズトレイ」が設定された状態情報に対応づけられたユーザ識別子とが相違することに応じて、２つの記録指示が異なるユーザによって入力されたと判断する（Ｓ３５：Ｎｏ）。
【００５８】
次に、画像記録プログラム３１は、２つの記録指示が同一のユーザによって入力されたことに応じて（Ｓ３５：Ｙｅｓ）、２つの記録指示に含まれるパスワード情報が同一であるか否かを判断する（Ｓ３６）。そして、画像記録プログラム３１は、２つの記録指示に含まれるパスワード情報が同一であることに応じて（Ｓ３６：Ｙｅｓ）、記録用紙をクローズトレイ１４に排出するための条件を満たすと判断（Ｓ３７）し、条件判断処理を終了する。図６（Ｂ）に示される記録指示に対する条件判断処理では、クローズトレイ１４に記録用紙が存在（Ｓ３１：Ｙｅｓ）し、２つの記録指示が同一のユーザによって入力され（Ｓ３５：Ｙｅｓ）、２つの記録指示に含まれるパスワード情報が同一である（Ｓ３６：Ｙｅｓ）ので、条件を満たすと判断される（Ｓ３７）。
【００５９】
一方、画像記録プログラム３１は、２つの記録指示が異なるユーザによって入力されたことに応じて（Ｓ３５：Ｎｏ）、記録用紙をクローズトレイ１４に排出するための条件を満たさないと判断（Ｓ３８）し、条件判断処理を終了する。また、画像記録プログラム３１は、２つの記録指示に含まれるパスワード情報が相違することに応じて（Ｓ３６：Ｎｏ）、記録用紙をクローズトレイ１４に排出するための条件を満たさないと判断（Ｓ３８）し、条件判断処理を終了する。
【００６０】
次に、画像記録プログラム３１は、ステップＳ１２で条件を満たすと判断したことに応じて（Ｓ１３：Ｙｅｓ）、ステップＳ１１で取得した記録指示に従った記録処理を記録部１１に実行させ（Ｓ１４）、且つ当該記録用紙をクローズトレイ１４へ向けて搬送部１２に搬送させる（Ｓ１５）。ステップＳ１４、Ｓ１５の処理を実行する複合機１０のＣＰＵ２７は、第１記憶制御手段の一例である。
【００６１】
具体的には、画像記録プログラム３１は、ステップＳ１４において、給紙トレイ１３に支持された記録用紙を搬送路４１に沿って記録部１１へ搬送部１２に搬送させ、当該記録用紙に対して画像データ３で示される画像を記録部１１に記録させる。また、画像記録プログラム３１は、ステップＳ１５において、記録部１１によって画像が記録された記録用紙を搬送路４３に沿ってクローズトレイ１４へ搬送部１２に搬送させる。また、画像記録プログラム３１は、図６（Ｃ）に示されるように、当該記録指示を識別するジョブ識別子「００３」と、当該記録指示に含まれるユーザ識別子「ユーザＢ」、画像データ３、サイズ情報「１５００」、記録面情報「片面」、及び枚数情報「１５枚」と、状態情報「クローズトレイ２」とを、互いに対応づけてデータ記憶領域２８Ｂに記憶させる。
【００６２】
次に、画像記録プログラム３１は、図６（Ｄ）に示される排出指示が受け付けられ（Ｓ１７：Ｙｅｓ）且つステップＳ１２で条件を満たすと判断されたことに応じて（Ｓ１８：Ｙｅｓ）、クローズトレイ１４に支持されている記録用紙のうち、排出指示に含まれるジョブ識別子「００３」によって特定される記録用紙をオープントレイ１５へ搬送する（Ｓ１９）。また、画像記録プログラム３１は、図６（Ｃ）に示されるジョブ識別子「００３」によって識別されるレコードをデータ記憶領域２８Ｂから削除し、画像記録処理を終了する。ステップＳ１９の処理を実行する複合機１０のＣＰＵ２７は、排出制御手段の一例である。
【００６３】
なお、図６（Ｃ）の状態におけるクローズトレイ１４には、ジョブ識別子「００２」で識別される記録指示に従って画像が記録された５枚の記録用紙の上に、ジョブ識別子「００３」で識別される記録指示に従って画像が記録された１５枚の記録用紙が積層されている。そこで、画像記録プログラム３１は、クローズトレイ１４に支持されている記録用紙のうち、排出指示に含まれるジョブ識別子「００３」によって特定される記録用紙を選択的にオープントレイ１５へ排出する。具体的には、画像記録プログラム３１は、クローズトレイ１４に支持された５枚の記録用紙を下から順に排出し、搬送路４８を通じて再びクローズトレイ１４へ搬送部１２に搬送させる。次に、画像記録プログラム３１は、クローズトレイ１４に支持された１５枚の記録用紙を下から順に排出し、搬送路４５を通じてオープントレイ１５へ搬送部１２に搬送させる。
【００６４】
［廃棄処理］
次に、図６（Ｃ）及び図７を参照して、複合機１０による廃棄処理を説明する。本実施形態における廃棄処理は、図６（Ｃ）に示される情報がデータ記憶領域２８Ｂに記憶されている状態で廃棄イベントが発生したことに応じて、クローズトレイ１４に支持された記録用紙を廃棄トレイ１６又は再利用トレイ１７へ搬送する処理である。廃棄イベントとは、例えば、記録指示を取得してからの経過時間が閾値を上回ったことであってもよいし、クローズトレイ１４に支持された記録用紙を廃棄する廃棄指示を操作部２４或いは通信部２５を通じて取得したことであってもよい。なお、図７に示される廃棄処理は、例えば、図４に示される画像記録処理のステップＳ１７において、ユーザから排出指示が入力されるのを待っている間に実行される。
【００６５】
画像記録プログラム３１は、廃棄イベントが発生したことに応じて（Ｓ４１：Ｙｅｓ）、クローズトレイ１４に支持されている記録用紙のうち、一番下の記録用紙の両面に画像が記録されているか否かを判断する（Ｓ４２）。ステップＳ４１の処理を実行する複合機１０のＣＰＵ２７は、クローズトレイ１４に支持されている記録用紙の廃棄を指示する廃棄イベントを検出する検出手段の一例である。
【００６６】
画像記録プログラム３１は、ステップＳ４１において、記録指示を取得したタイミングで計測を開始した時間が閾値を上回ったことに応じて、廃棄イベントの発生を検出してもよい。または、画像記録プログラム３１は、廃棄指示を入力する操作が操作部２４によって検知されたことに応じて、廃棄イベントの発生を検出してもよい。また、画像記録プログラム３１は、ステップＳ４２において、状態情報「クローズトレイ１」に対応づけられた記録面情報に「両面」が設定されていることに応じて、一番下の記録用紙の両面に画像が記録されていると判断する（Ｓ４２：Ｙｅｓ）。一方、画像記録プログラム３１は、状態情報「クローズトレイ１」に対応づけられた記録面情報に「片面」が設定されていることに応じて、一番下の記録用紙の片面にのみ画像が記録されていると判断する（Ｓ４２：Ｎｏ）。
【００６７】
そして、画像記録プログラム３１は、一番下の記録用紙の両面に画像が記録されていることに応じて（Ｓ４２：Ｙｅｓ）、当該記録用紙を廃棄トレイ１６へ排出する（Ｓ４３）。すなわち、画像記録プログラム３１は、クローズトレイ１４に支持されている一番下の記録用紙を、搬送路４６を通じて廃棄トレイ１６へ搬送部１２に搬送させる。一方、画像記録プログラム３１は、一番下の記録用紙の片面にのみ画像が記録されていることに応じて（Ｓ４２：Ｎｏ）、当該記録用紙を再利用トレイ１７へ排出する（Ｓ４４）。すなわち、画像記録プログラム３１は、クローズトレイ１４に支持されている一番下の記録用紙を、搬送路４７を通じて再利用トレイ１７へ搬送部１２に搬送させる。ステップＳ４２〜Ｓ４４の処理を実行する複合機１０のＣＰＵ２７は、廃棄制御手段の一例である。
【００６８】
そして、画像記録プログラム３１は、クローズトレイ１４に支持された全ての記録用紙を廃棄トレイ１６又は再利用トレイ１７に排出するまで、ステップＳ４２〜Ｓ４４の処理を繰り返し実行する（Ｓ４５）。図６（Ｃ）の例では、ジョブ識別子「００２」で特定される５枚の記録用紙が廃棄トレイ１６に排出された後、ジョブ識別子「００３」で特定される１５枚の記録用紙が再利用トレイ１７に排出される。
【００６９】
また、画像記録プログラム３１は、ジョブ識別子「００２」で特定される５枚の記録用紙が廃棄トレイ１６に排出されたことに応じて、ジョブ識別子「００２」に対応づけられた各種情報をデータ記憶領域２８Ｂから削除し、ジョブ識別子「００３」で特定される処理情報を「クローズトレイ２」から「クローズトレイ１」に更新する。さらに、画像記録プログラム３１は、ジョブ識別子「００３」で特定される１５枚の記録用紙が再利用トレイ１７に排出されたことに応じて、ジョブ識別子「００３」に対応づけられた各種情報をデータ記憶領域２８Ｂから削除する。
【００７０】
［本実施形態の作用効果］
本実施形態によれば、複合機１０に設けられた操作部２４を通じて排出指示が入力されたことによって、対応する記録指示に従って画像が記録された記録用紙がオープントレイ１５に排出される。これにより、異なる記録指示に係る記録用紙がオープントレイ１５上において混在するのを抑制することができる。また、一部の記録指示に係る記録処理は予め実行され、当該記録処理によって画像が記録された記録用紙がクローズトレイ１４に排出されるので、記録用紙が排出されるまでの待ち時間も低減される。
【００７１】
なお、本実施形態のステップＳ１９では、クローズトレイ１４に支持された記録用紙をオープントレイ１５へ搬送することによって、当該記録用紙を取り出し可能な状態にした例を説明したが、本発明はこれに限定されない。例えば、クローズトレイ１４は、支持された記録用紙をユーザが取り出し不能なロック状態と、支持された記録用紙をユーザが取り出し可能なロック解除状態とに状態変化可能に構成されていてもよい。そして、画像記録プログラム３１は、ステップＳ１９において、クローズトレイ１４をロック状態からロック解除状態に状態変化させてもよい。
【００７２】
一例として、クローズトレイ１４は、記録用紙を収容する領域を覆う蓋と、蓋の開放を規制するロック部とを備えていてもよい。すなわち、ユーザは、ロック部による蓋の開放が規制されている状態において、クローズトレイ１４に支持された記録用紙を取り出すことができない。一方、ユーザは、ロック部による規制が解除された状態において、クローズトレイ１４に支持された記録用紙を取り出すことができる。上記構成のクローズトレイ１４において、ロック部によって蓋の開放が規制された状態がロック状態であり、ロック部による規制が解除された状態がロック解除状態である。
【００７３】
他の例として、クローズトレイ１４は、複合機１０の本体に対して着脱可能に構成されていてもよい。複合機１０に装着された状態のクローズトレイ１４は、搬送部１２による記録用紙の搬出入が可能であり、且つユーザによる記録用紙の取り出しが不能となる。一方、複合機１０から取り外された状態のクローズトレイ１４は、搬送部１２による記録用紙の搬出入が不能であり、且つユーザによる記録用紙の取り出しが可能となる。また、クローズトレイ１４は、画像記録プログラム３１の制御に従って動作する排出部によって複合機１０から抜去され、ユーザによって複合機１０に装着される。上記構成のクローズトレイ１４において、複合機１０に装着された状態がロック状態であり、複合機１０から取り外された状態或いは取り外し可能な状態がロック解除状態である。
【００７４】
また、本実施形態のステップＳ１９では、クローズトレイ１４に支持された２０枚の記録用紙のうち、排出指示に含まれるジョブ識別子「００３」によって特定される１５枚の記録用紙のみが選択的にオープントレイ１５に排出される例を説明したが、本発明はこれに限定されない。例えば、図６の例では、クローズトレイ１４に支持された２０枚の記録用紙は、いずれもユーザＢによって入力された記録指示に従って画像が記録されたものである。このような場合、画像記録プログラム３１は、クローズトレイ１４に支持された全ての記録用紙をオープントレイ１５に排出してもよい。
【００７５】
また、本実施形態では、クローズトレイ１４上に積層された記録用紙が下から順に搬送部１２によって排出され、当該記録用紙が搬送路４８を通じてクローズトレイ１４上に積層された記録用紙の一番上に載置されることによって、クローズトレイ１４に支持された記録用紙の順序を入れ替える例を説明したが、本発明はこれに限定されない。例えば、搬送部１２は、クローズトレイ１４上に積層された記録用紙を上から順に排出して予め定められた退避場所に退避させ、所望の記録用紙をオープントレイ１５等に排出した後に、退避場所に退避された記録用紙をクローズトレイ１４上に積層された記録用紙の一番上に載置してもよい。
【００７６】
また、本実施形態においてデータ記憶領域２８Ｂで管理される情報は、図３及び図６の例に限定されない。例えば、状態情報に「クローズトレイ」が設定される場合は、画像データ及びサイズ情報をデータ記憶領域２８Ｂに記憶させる必要は必ずしもない。また、本実施形態では、オープントレイ１５、廃棄トレイ１６、或いは再利用トレイ１７に排出された記録用紙を特定するジョブ識別子に対応づけられた各種情報が削除される例を説明したが、本発明はこれに限定されない。例えば、オープントレイ１５に排出された記録用紙に対応する状態情報に「オープントレイ」を設定し、廃棄トレイ１６に排出された記録用紙に対応する状態情報に「廃棄トレイ」を設定し、再利用トレイ１７に排出された記録用紙に対応する状態情報に「再利用トレイ」を設定してもよい。すなわち、画像記録プログラム３１は、記録用紙がクローズトレイ１４から排出されたことに応じて、対応する状態情報から「クローズトレイ」を削除すればよい。
【００７７】
また、本実施形態のステップＳ３６では、２つの記録指示に含まれるパスワード情報が同一であるか否かのみを判断したが、本発明はこれに限定されない。以下、状態情報「クローズトレイ」に対応づけてデータ記憶領域２８Ｂに記憶されたパスワード情報（以下、「第１パスワード情報」と表記する。）、及び排出指示に含まれるパスワード情報（以下、「第２パスワード情報」と表記する。）の組み合わせと、条件を満たすか否かとの対応関係の例を説明する。
【００７８】
一例として、画像記録プログラム３１は、第１パスワード情報にパスワードが設定されていないことに応じて、第２パスワード情報にパスワードが設定されているか否かにかかわらず、条件を満たすと判断してもよい。他の例として、画像記録プログラム３１は、第１パスワード情報及び第２パスワード情報に同一のパスワードが設定されていることに応じて、条件を満たすと判断してもよい。さらに他の例として、画像記録プログラム３１は、第１パスワード情報にパスワードが設定されており、且つ第２パスワード情報にパスワードが設定されていないことに応じて、条件を満たさないと判断してもよい。さらに他の例として、画像記録プログラム３１は、第１パスワード情報及び第２パスワード情報に異なるパスワードが設定されていることに応じて、条件を満たさないと判断してもよい。
【００７９】
また、本実施形態の条件判断処理では、ステップＳ３１、Ｓ３２、Ｓ３５、Ｓ３６の条件を判断する例を説明した。しかしながら、本発明の条件判断処理に用いられる条件はこれらに限定されない。例えば、ステップＳ３２、Ｓ３５、Ｓ３６の一部又は全部を省略してもよい。例えば、画像記録プログラム３１は、データ記憶領域２８Ｂに記憶されている状態情報に「クローズトレイ」が設定されていることに応じて（Ｓ３１：Ｙｅｓ）、条件を満たすと判断してもよい（Ｓ３３）。一方、画像記録プログラム３１は、データ記憶領域２８Ｂに記憶されている全ての状態情報に「クローズトレイ」と異なる値が設定されていることに応じて、条件を満たさないと判断してもよい（Ｓ３８）。または、上記の各条件に代えて、或いは上記の各条件に加えて、下記の条件を条件判断処理において判断してもよい。
【００８０】
一例として、データ記憶領域２８Ｂには、クローズトレイ１４へ記録用紙を排出すべきユーザのユーザ識別子である優先ユーザ識別子が予め記憶されていてもよい。そして、画像記録プログラム３１は、データ記憶領域２８Ｂに記憶された優先ユーザ識別子と、記録指示に含まれるユーザ識別子とが一致することに応じて、条件を満たすと判断してもよい。一方、画像記録プログラム３１は、データ記憶領域２８Ｂに記憶された優先ユーザ識別子と、記録指示に含まれるユーザ識別子とが相違することに応じて、条件を満たさないと判断してもよい。この条件は、例えばステップＳ３１において、クローズトレイ１４に記録用紙が支持されていないと判断された場合（Ｓ３１：Ｎｏ）に判断されてもよい。
【００８１】
他の例として、記録指示は、当該記録指示に従って画像が記録された記録用紙のクローズトレイ１４への排出を希望するか否かを示す排出希望情報を含んでいてもよい。そして、画像記録プログラム３１は、記録指示に含まれる排出希望情報がクローズトレイ１４への排出を希望することを示すことに応じて、条件を満たすと判断してもよい。一方、画像記録プログラム３１は、記録指示に含まれる排出希望情報がクローズトレイ１４への排出を希望しないことを示すことに応じて、条件を満たさないと判断してもよい。この条件は、例えばステップＳ３１において、クローズトレイ１４に記録用紙が支持されていないと判断された場合（Ｓ３１：Ｎｏ）に判断されてもよい。
【００８２】
さらに他の例として、画像記録プログラム３１は、現時点でクローズトレイ１４に支持されている記録用紙の枚数を管理しておいてもよい。具体的には、画像記録プログラム３１は、クローズトレイ１４に排出された記録用紙の枚数である累積枚数を算出し、且つクローズトレイ１４から記録用紙が排出されたことに応じて当該累積枚数をリセットする。そして、画像記録プログラム３１は、記録指示に含まれる枚数情報で示される記録用紙の枚数と累積枚数との合計が閾値枚数以下であることに応じて、条件を満たすと判断してもよい。一方、画像記録プログラム３１は、記録指示に含まれる枚数情報で示される記録用紙の枚数と累積枚数との合計が閾値枚数を上回ることに応じて、条件を満たさないと判断してもよい。
【００８３】
また、本実施形態の廃棄処理では、廃棄イベントが発生した時点でクローズトレイ１４に支持されている全ての記録用紙を廃棄トレイ１６又は再利用トレイ１７に排出する例を説明したが、本発明はこれに限定されない。画像記録プログラム３１は、例えば、廃棄のタイミングをジョブ識別子毎にタイマー監視し、タイムアウトしたジョブ識別子で特定される記録用紙のみを選択的にクローズトレイ１４から排出してもよい。また、画像記録プログラム３１は、画像が両面に記録されているか否かにかかわらず、パスワードが対応づけられたジョブ識別子で特定される記録用紙を、廃棄トレイ１６に排出してもよい。この場合、廃棄トレイ１６に支持された記録用紙は、管理者のみが取り出し可能であることが望ましい。
【００８４】
また、本実施形態の廃棄処理では、クローズトレイ１４に支持された記録用紙を、廃棄トレイ１６又は再利用トレイ１７に排出する例を説明したが、本発明はこれに限定されない。画像記録プログラム３１は、例えば、廃棄イベントが検出されたことに応じて、クローズトレイ１４に支持されている記録用紙を廃棄することを報知してもよい。報知の方法は特に限定されないが、例えば、表示部２３にメッセージを表示してもよいし、不図示のスピーカから音声を出力してもよい。または、予め登録されたメールアドレス宛に廃棄を促すメールを送信してもよい。上記の処理を実行する複合機１０のＣＰＵ２７は、報知手段の一例である。
【００８５】
また、各実施形態の複合機１０において、記憶部２８のプログラム記憶領域２８Ａに記憶された各種プログラムがＣＰＵ２７によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００８６】
さらに、本発明は、複合機１０として実現できるだけでなく、複合機１０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して複合機１０に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【００８７】
１０・・・複合機
１１・・・記録部
１２・・・搬送部
１４・・・クローズトレイ
１５・・・オープントレイ
１６・・・廃棄トレイ
１７・・・再利用トレイ
２４・・・操作部
２５・・・通信部
２７・・・ＣＰＵ
２８・・・記憶部
３１・・・画像記録プログラム
【図１】
2015104873.tif 000003
【図２】
2015104873.tif 000004
【図３】
2015104873.tif 000005
【図４】
2015104873.tif 000006
【図５】
2015104873.tif 000007
【図６】
2015104873.tif 000008
【図７】
2015104873.tif 000009